(57)【特許請求の範囲】
【請求項１】
任意の形状を有する胴体と、
前記胴体に変位可能に結合される少なくとも１つの加圧部と、
前記胴体側に移動する移動体と、
前記胴体の外部の形状が第１の形状を維持するように、前記加圧部と結合してロック状態を維持し、前記移動体が配置されて反応すると、前記ロック状態が解除され、前記胴体の位置が変位して前記胴体が第２の形状に展開するように設けられた第１のロック部と、  前記胴体が第２の形状に展開されると、ロック解除されるように動作する第２のロック部と、
前記胴体に変位可能に配設され、前記第２のロック部がロック解除位置に移動すると、底面を加圧して第２の形状に展開された胴体がポップアップされるように動作するポップアップ部と、を備える、ポップアップ玩具。
【請求項２】
前記ポップアップ玩具は、任意の位置に据え置かれ、前記移動体は、前記ポップアップ玩具の外部から前記第１のロック部側に移動する、請求項１に記載のポップアップ玩具。
【請求項３】
前記ポップアップ玩具は、前記第２のロック部がロック解除位置に移動すると、前記胴体の一部のうちの少なくとも１つが回動し、内在された任意の前記胴体の一部が前記胴体の外部に投擲されるまたは発射される、請求項１または２に記載のポップアップ玩具。
【請求項４】
前記移動体は、内部に磁性体を備えることを特徴とする請求項１〜３のいずれか１項に記載のポップアップ玩具。
【請求項５】
前記第１のロック部は、磁石部を備え、前記移動体に内在された磁性体との磁場による引力により変位して、ロック状態が解除されるようになっていることを特徴とする請求項１〜４のいずれか１項に記載のポップアップ玩具。
【請求項６】
前記第１のロック部は、前記移動体との物理的な接触により変位して、ロック状態が解除されるようになっていることを特徴とする請求項１〜５のいずれか１項に記載のポップアップ玩具。
【請求項７】
前記第１のロック部は、物理的に接触した前記移動体が前記ポップアップ玩具に付着されるように、前記移動体に内在された磁性体と磁場を形成する磁石部をさらに備えることを特徴とする請求項６に記載のポップアップ玩具。
【請求項８】
前記ポップアップ玩具は、前記第１のロック部の下部に配設されて前記移動体の移動を制限するストッパをさらに備えることを特徴とする請求項１〜７のいずれか１項に記載のポップアップ玩具。
【請求項９】
前記第１の形状は、仮面（マスク）形状、かぶと形状、盾形状、車両形状、建物形状、物品形状のうちの少なくともいずれか一つであることを特徴とする請求項１〜８のいずれか１項に記載のポップアップ玩具。
【請求項１０】
前記第２の形状は、動物形状、ロボット形状、人間形状、任意のアニメーションキャラクタ形状のうちのいずれか１つであることを特徴とする請求項１〜９のいずれか１項に記載のポップアップ玩具。
【発明の詳細な説明】
【技術分野】
【０００１】
本発明は、ポップアップ玩具（飛び出る玩具）に係り、さらに詳しくは、任意の位置に据え置かれ、外部から移動してくる移動体によって動作して第１の形状から第２の形状に変形するポップアップ玩具に関する。
【背景技術】
【０００２】
一般に、変形玩具は、ロボット形状または自動車形状などを呈する玩具胴体を備え、任意の形状からロボットまたは自動車形状に変形させて遊びを興じる玩具であって、これは、１種類の玩具を用いて様々な様子や形状を表現するので、子供が遊びを様々に楽しむことができるという利点がある。
【０００３】
しかしながら、この種の従来の変形玩具は、使用者が自ら操作して変形過程を行うが故に、遊び時間が長くなると、変形を通じての遊びへの興味が低下してしまうという不都合がある。
【０００４】
一方、遊びの興味を向上させる方法として、シューティングを用いた遊びが挙げられ、主として所定の位置に据え置かれた標的に向かって玉、メダル、円盤などの移動体を発射して標的に命中させて転倒させる遊びがある。
【０００５】
しかしながら、このようなシューティング遊びは、単に標的に命中させる動作しか行わず、標的に命中したときの面白さを与えることができないという不都合がある。
【０００６】
最近では、コントローラによって遠隔で調整される玩具に搭載されたカメラを用い、取得したイメージのイメージ信号がコントローラに送られ、前記イメージ信号に基づいて、コントローラと接続されたモニタに取得されたイメージが表示されるシューティング玩具も提案されている。
【０００７】
大韓民国登録特許第１０−１０５００４３号公報（発明の名称：シューティング玩具）には、イメージ認識（ｉｍａｇｅ  ｒｅｃｏｇｎｉｔｉｏｎ）を用いてシューティングの命中の可否を判定するシューティング玩具が開示されている。
【０００８】
しかし、このような従来の技術による玩具は、シューティングの命中の可否の判定をイメージ認識を用いて行うようになっているため、玩具の構成が複雑であり、且つ、玩具の製造コストが高騰してしまうという不都合がある。
【先行技術文献】
【特許文献】
【０００９】
【特許文献１】大韓民国登録特許第１０−１０５００４３号公報
【発明の概要】
【発明が解決しようとする課題】
【００１０】
このような不都合を解消するために、本発明は、任意の位置に据え置かれ、外部から移動してくる移動体によって動作して、第１の形状から第２の形状に変形するポップアップ玩具を提供することを目的とする。
【課題を解決するための手段】
【００１１】
上記の目的を達成するために、本発明に係るポップアップ玩具は、任意の形状を有する胴体と、前記胴体に回動可能に配設された複数の胴体の一部とが第１のロック部を介して固定されて外部の形状が任意の第１の形状を維持し、前記第１のロック部が外部から移動してくる移動体によって動作してロック解除されると、前記固定された胴体の一部のうちの少なくとも１つ以上の胴体の一部が展開されて外部の形状が第１の形状から第２の形状に変形することを特徴とする。
【００１２】
また、本発明に係る前記ポップアップ玩具は、任意の位置に据え置かれた状態であることを特徴とする。
【００１３】
また、本発明に係る前記ポップアップ玩具は、前記第１のロック部が移動体によってロック解除されると、前記固定された胴体の一部のうち任意の胴体の一部が回動して内在された第２の形状がポップアップされるように展開するか、または、地面を加圧して胴体が一方の側に転倒されるように展開することを特徴とする。
【００１４】
また、本発明に係る前記ポップアップ玩具は、胴体が一方の側に転倒されるように展開されて地面と接触するとロック解除される第２のロック部をさらに備え、前記第２のロック部が地面と接触してロック解除されると、前記固定された胴体の一部のうちの少なくとも１つ以上が回動して内在された第２の形状がポップアップされるようにするか、前記固定された胴体の一部のうちの少なくとも１つ以上が回動して地面を加圧して胴体が上方に向かって起立するようにポップアップするか、または、前記固定された胴体の一部のうちの少なくとも１つ以上が回動して内在された任意の胴体の一部が胴体の外部に投擲または発射する動作のうちの少なくとも一方の動作を展開することを特徴とする。
【００１５】
また、本発明に係る前記移動体は、内部に磁性体を備えることを特徴とする。
【００１６】
また、本発明に係る前記第１のロック部は、磁石部を備えて、前記移動体に内在された磁性体との磁場による引力により変位してロック状態が解除されるようになっていることを特徴とする。
【００１７】
また、本発明に係る前記第１のロック部は、移動体との物理的な接触により変位してロック状態が解除されるようになっていることを特徴とする。
【００１８】
また、本発明に係る前記第１のロック部は、前記物理的に接触した移動体がポップアップ玩具に付着されるように前記移動体に内在された磁性体と磁場を形成する磁石部をさらに備えることを特徴とする。
【００１９】
また、本発明に係る前記ポップアップ玩具は、前記第１のロック部の下部に配設されて前記移動体の移動を制限するストッパをさらに備えることを特徴とする。
【００２０】
また、本発明に係る前記第１の形状は、仮面（マスク）形状、かぶと形状、盾形状、車両形状、建物形状、物品形状のうちの少なくともいずれか一つであることを特徴とする。
【００２１】
また、本発明に係る前記第２の形状は、動物形状、ロボット形状、人間形状、任意のアニメーションキャラクタ形状のうちのいずれか１つであることを特徴とする。
【発明の効果】
【００２２】
本発明は、任意の位置に据え置かれたポップアップ玩具が、任意の位置から移動してくる移動体によって動作して、第１の形状から第２の形状に変形することにより、遊びへの興味を向上させることができるという利点がある。
【図面の簡単な説明】
【００２３】
【図１】本発明に係るポップアップ玩具を示す斜視図である。
【図２】図１に示すポップアップ玩具の構成を示す分解斜視図である。
【図３】図１に示すポップアップ玩具の構造を示す断面図である。
【図４】図１に示すポップアップ玩具の動作過程を説明するために示す断面図である。
【図５】図１に示すポップアップ玩具の動作過程を説明するために示す他の断面図である。
【図６】図１に示すポップアップ玩具の動作が終わった状態を示す斜視図である。
【図７】本発明に係るポップアップ玩具の他の実施形態を示す断面図である。
【図８】図７に示すポップアップ玩具の動作過程を説明するために示す断面図である。
【発明を実施するための形態】
【００２４】
以下、添付図面に基づいて、本発明に係るポップアップ玩具の好適な実施形態について詳細に説明する。
【００２５】
（第１の実施形態）
図１は、本発明に係るポップアップ玩具を示す斜視図であり、図２は、図１に示すポップアップ玩具の構成を示す分解斜視図であり、図３は、図１に示すポップアップ玩具の構造を示す断面図であり、図４は、図１に示すポップアップ玩具の動作過程を説明するために示す断面図であり、図５は、図１に示すポップアップ玩具の動作過程を説明するために示す他の断面図であり、図６は、図１に示すポップアップ玩具の動作が終わった状態を示す斜視図である。
【００２６】
図１〜図６に示すように、本発明に係るポップアップ玩具１００は、任意の形状を有する胴体と、前記胴体に回動可能に配設された複数の胴体の一部とがロック部を介して固定されて外部の形状が任意の第１の形状を維持し、前記ロック部が外部から移動された移動体２００によって動作してロック解除されると、前記固定された胴体の一部のうちの少なくともいずれか１つ以上の胴体の一部が展開されて外部の形状が第１の形状から第２の形状に変形するようになっている。本発明に係るポップアップ玩具１００は、胴体を構成する第１の胴体部１１０及び第２の胴体部１２０と、ロック手段である第１のロック部１３０及び第２のロック部１５０と、前記胴体に回動可能に配設される加圧部１４０、ポップアップ部１６０及び頭部１８０と、前記ポップアップ玩具１００に移動してロック解除動作がなされるようにする移動体２００と、を備える。
【００２７】
また、前記ポップアップ玩具１００は、第１の形状を維持した状態で任意の位置に据え置かれた状態で配置される。
【００２８】
すなわち、本発明に係るポップアップ玩具１００は、所定の位置に配置され、前記配置された位置における移動体２００との接触によりロック手段が解除されると、第１の形状から第２の形状に変形する。
【００２９】
前記第１の胴体部１１０は、一方の側が開口され、内側に収納空間１１１が形成され、前記収納空間１１１には、第１のロック部１３０と、第２のロック部１５０と、頭部１８０とが配設される。
【００３０】
また、前記第１の胴体部１１０は、前記第１のロック部１３０と噛合する長孔のガイド部１１２と、前記第１のロック部１３０の一部が貫通する背面貫通孔１１３と、第２のロック部１５０の一部が貫通する側面貫通孔１１３’と、前記第１の胴体部１１０の両側面においてポップアップ部１６０が回動可能に結合するように支持する第１の結合部１１４と、前記第１の胴体部１１０の背面において加圧部１４０が回動可能に結合するように支持する第２の結合部１１５と、前記第１の胴体部１１０の上面において頭部１８０が回動可能に結合するように支持する第３の結合部１１６と、を備える。
【００３１】
また、前記第１の胴体部１１０の下部には、前記第１の胴体部１１０の底面から所定の長さだけ突出したストッパ１１７が設けられ、移動中の移動体２００が前記第１の胴体部１１０の下部に位置すると、それ以上移動しないように制限する。
【００３２】
前記第２の胴体部１２０は、第１の胴体部１１０の前側に任意の形状を有するように配設された板状の部材であって、第２のロック部１５０の一部が貫通する貫通孔１２１が形成される。
【００３３】
また、前記第２の胴体部１２０は、全体的な形状が第１の形状を呈する構成要素であって、前記第１の形状は、仮面（マスク）形状、かぶと形状、盾形状、車両形状、建物形状、物品形状のうちの少なくともいずれか１つの形状を呈する。
【００３４】
前記第１のロック部１３０は、第１の胴体部１１０に配設され、加圧部１４０が前記第１の胴体部１１０に密着したロック状態を維持するか、または、前記第１の胴体部１１０から分離されるようにロック解除動作を行う構成要素である。前記第１のロック部１３０は、第１のロック部胴体１３１と、第１のロック部ラッチ１３２と、回転軸１３３と、磁石部１３４と、第１のロック部ばね１３５と、を備える。
【００３５】
前記第１のロック部胴体１３１は、棒状の部材であって、前記第１のロック部胴体１３１の両側に所定の長さだけ突出した突起部１３１ａを備えて、第１の胴体部１１０に配設されたガイド部１１２の長孔に沿って移動するように配設され、前記第１のロック部胴体１３１の一方の側は第１のロック部ラッチ１３２と結合され、他方の側には磁石部１３４が配設される。
【００３６】
前記第１のロック部ラッチ１３２は、一方の側が第１のロック部胴体１３１の末端に回転軸１３３を介して結合され、係止突起が形成されている他方の側は、第１の胴体部１１０の背面貫通孔１１３を貫通して加圧部１４０と締結される。前記第１のロック部ラッチ１３２は、前記第１のロック部胴体１３１が移動するにつれて、前記加圧部１４０と締結されたロック状態または前記加圧部１４０から分離されたロック解除状態になるように動作する。
【００３７】
前記磁石部１３４は、第１のロック部胴体１３１の他方の側の末端に配設されて、移動体２００に内在された磁性体２１０と磁場を形成することにより、前記第１のロック部胴体１３１がガイド部１１２の長孔に沿って移動可能なように磁気力を発生する。
【００３８】
前記第１のロック部ばね１１５は、第１のロック部胴体１３１の他方の側の末端に配設されて、前記第１のロック部胴体１３１が所定の位置を維持するように弾性力を提供し、前記第１のロック部胴体１３１が磁石部１３４において発生した磁気力によって移動した後、前記磁石部１３４による磁気力が消えると、前記第１のロック部胴体１３１が元の位置に戻るように弾性力を提供する。
【００３９】
前記加圧部１４０は、棒状の部材であって、一方の端部には第１の胴体部１１０の第２の結合部１１５と加圧部回転軸１４３を介して回動可能に結合するように加圧部結合孔１４１が形成され、他方の端部には第１のロック部ラッチ１３２と噛合する係止溝１４２が形成されて、前記第１のロック部ラッチ１３２と結合して固定されることにより、ロック状態を維持する。
【００４０】
また、前記加圧部１４０は、第１のロック部ラッチ１３２との結合が解除されてロック状態が解除されると、前記第１の胴体部１１０の一方の側に加圧部１４０が分離され、
前記加圧部１４０が第２の結合部１１５を中心として回転しながら地面３００を加圧するように加圧部ばね１４４が配設されて、ポップアップ玩具１００が、例えば、前側に転倒されるようにする。
【００４１】
本実施形態においては、前記加圧部１４０の形状を動物の尻尾形状にしているが、本発明はこれに限定されるものではなく、様々な形状に変形可能であるということはいうまでもない。
【００４２】
さらに、本実施形態においては、前記加圧部１４０を、地面３００を加圧する構成に限定して説明したが、任意の第２の形状を形成して胴体における回動を通じて露出されるように構成して、展開を通じて内在された前記第２の形状がポップアップされるように構成してもよい。
【００４３】
前記第２のロック部１５０は、第１の胴体部１１０の内側に配設されて前記第１の胴体部１１０の両側面に配設されたポップアップ部１６０が密着したロック状態を維持するか、または、ポップアップ玩具１００が加圧部１４０によって一方の側に転倒されれば地面３００と接触して、前記ポップアップ部１６０がロック解除されて前記第１の胴体部１１０から分離されるようにする構成要素である。前記第２のロック部１５０は、第２のロック部胴体１５１と、リンク部１５２と、第２のロック部ラッチ１５３と、第２のロック部ばね１５４と、第２のロック部補助ラッチ１５５と、を備える。
【００４４】
前記第２のロック部胴体１５１は、棒状の部材であって、接触部１５１ａが形成されている一方の端部は第２の胴体部１２０の貫通孔１２１を通過して配設され、他方の側には、第２のロック部ラッチ１５３と回動可能に結合するようにリンク部１５２が配設される。
【００４５】
前記第２のロック部ラッチ１５３は、前記リンク部１５２を中心として回動可能に連結され、係止突起が形成されている両側の末端部は、第１の胴体部１１０の側面貫通孔１１３’を通過して前記第１の胴体部１１０の外部に露出され、前記第１の胴体部１１０の両側の面に密着したポップアップ部１６０と締結されてロック状態になるようにするか、または、前記第２のロック部胴体１５１の動作につれて回動すると前記ポップアップ部１６０との締結状態が解除されて前記ポップアップ部１６０がロック解除されるようにする。
【００４６】
前記第２のロック部ばね１５４は、第２のロック部胴体１５１の他方の側に配設されて、前記第２のロック部胴体１５１の接触部１５１ａが第２の胴体部１２０の外側に所定の長さだけ突出し、第２のロック部ラッチ１５３及び第２のロック部補助ラッチ１５５が所定の位置に維持されるように弾性力を提供する構成要素である。前記第２のロック部ばね１５４は、ポップアップ玩具１００が前側に転倒されて前記第２のロック部胴体１５１の接触部１５１ａが地面３００に触れると、前記ポップアップ玩具１００の自重によって押圧が発生し、前記自重による押圧が消えると、前記第２のロック部胴体１５１が元の位置に戻るように弾性力を提供する。
【００４７】
前記第２のロック部補助ラッチ１５５は、第２のロック部胴体１５１の任意の位置に配設された係止突起であって、頭部１８０がロック状態を維持するように前記頭部１８０と締結され、前記第２のロック部胴体１５１の動作につれて移動すると、前記頭部１８０との締結状態が解除されて前記頭部１８０がロック解除されるようにする。
【００４８】
前記ポップアップ部１６０は、第１の胴体部１１０の側面に配設され、ポップアップ玩具１００が一方の側に転倒されて第２のロック部１５０によるロック状態が解除されると、前記第１の胴体部１１０から分離されて地面３００を加圧して前記ポップアップ玩具１００が上方に向かって起立するポップアップ（Ｐｏｐｕｐ）動作を行うための構成要素である。ポップアップ部１６０は、ポップアップ部結合溝１６１と、ポップアップ部回転軸１６２と、ポップアップ部ばね１６３と、係止溝１６４と、を備える。
【００４９】
本実施形態においては、前記ポップアップ部１０の形状を動物の脚形状にしているが、本発明はこれに限定されるものではなく、様々な形状に変形可能であるということはいうまでもない。
【００５０】
前記ポップアップ部結合溝１６１は、脚形状を呈するポップアップ部１６０の胴体が第１の胴体部１１０の任意の位置において結合するように形成された締結溝であって、ポップアップ部回転軸１６２を介して前記第１の胴体部１１０に回転可能に結合される。
【００５１】
前記ポップアップ部ばね１６３は、ポップアップ部回転軸１６２に配設されてポップアップ部１６０が前記ポップアップ部回転軸１６２を中心として回転できるように弾性力を提供し、前記提供された弾性力によって前記ポップアップ部１６０が地面３００を加圧してポップアップ玩具１００が起立するポップアップ動作を行うようにする。
【００５２】
前記係止溝１６４は、ポップアップ部１６０の胴体の一方の側に配設した結合溝であって、第２のロック部１５０に配設された第２のロック部ラッチ１５３と締結され、ポップアップ部１６０が第１の筐体１１０の側面に固定されるようにする。
【００５３】
前記頭部１８０は、第１の胴体部１１０に回動可能に配設されてポップアップ玩具１００が一方の側に転倒して第２のロック部１５０のロック状態が解除されると、
前記第１の胴体部１１０の内部から外部にポップアップされるように展開されるための構成要素であって、一方の側には任意の動物、キャラクタなどの顔が形成され、他方の側には頭結合部１８１が配設されて頭部回転軸１８２を中心として前記第１の胴体部１１０と回動可能に結合される。
【００５４】
また、前記頭部１８０には、頭部回転軸１８２に頭部ばね１８３が配設され、係止溝１８４と第２のロック部１５０との間のロック状態が解除されると、頭部ばね１８３は、前記頭部１８０が前記頭部回転軸１８２を中心として回転できるような弾性力を提供する。
【００５５】
前記第２の形状は、動物形状、ロボット形状、人間形状、任意のアニメーションキャラクタ形状のうちの少なくともいずれか１つの形状を呈し、任意の他の形状に変更して実施してもよいということはいうまでもない。
【００５６】
前記移動体２００は、外部の形状が円形状、楕円形状、多角形状のうちのいずれか１つの形状を呈する板状の部材であって、好ましくは、プラスチック合成樹脂材により形成される。前記移動体２００の内部には、磁石部１３４と磁場を形成できるように、磁性体２１０または磁石のうちの少なくとも一方が配設される。
【００５７】
また、前記移動体２００の外面には、任意のキャラクタ、数字、文字、図形、絵柄などが印刷物によって貼着されてもよく、陰刻または陽刻などによって形成されてもよい。
【００５８】
また、前記移動体２００は、前記移動体２００が地面３００に据え置かれた状態で、使用者が移動体２００をポップアップ玩具１００が配置されている方向に向かって押すことで移動するか、または、前記移動体２００を任意の発射装置に設けて前記ポップアップ玩具１００が配置されている方向に向かって発射させることで移動する。
【００５９】
前記移動体２００が発射装置を用いて発射される場合、前記発射装置に少なくとも１つ以上の移動体２００が収納された後、使用者が前記発射装置に内在された撃針を加圧して前記収納された移動体２００が順次に発射されるようにするか、または、前記撃針が弾性力によって押されるようにして、前記収納された移動体２００が順次に発射されるようにしてもよい。
【００６０】
次いで、本発明に係るポップアップ玩具１００の動作過程について説明する。
【００６１】
まず、図６に示すように、変形し終わった第２の形状のポップアップ玩具１００において、加圧部１４０を、加圧部回転軸１４３を中心として回転させて第１の胴体部１１０の背面貫通孔１１３に突出した第１のロック部ラッチ１３２と結合させる。ポップアップ部１６０は、ポップアップ部回転軸１６２を中心として回転させ、前記第１の胴体部１１０の側面貫通孔１１３’に突出した第２のロック部ラッチ１５３と結合させる。頭部１８０は、頭部回転軸１８２を中心として回転させて前記第１の胴体部１１０の内側に位置させた後、第２のロック部補助ラッチ１５５と結合させる。これにより、変形し終わった第２の形状のポップアップ玩具１００から、図１に示すロック状態を維持した第１の形状のポップアップ玩具１００にする。
【００６２】
第１の形状を呈するポップアップ玩具１００を任意の位置に配置した後、所定の距離だけ離間した位置から移動体２００を前記ポップアップ玩具１００に発射すると、前記移動体２００が地面３００に沿ってポップアップ玩具１００の下部に移動する。
【００６３】
このとき、前記移動体２００は、任意のキャラクタ、数字、文字、図形、絵柄などが印刷されている情報が底面３００を向くように配置する。
【００６４】
前記移動体２００がポップアップ玩具１００の下部に搬入されると、ストッパ１１７によってそれ以上の移動が制限され、このとき、第１のロック部１３０に配設された磁石部１３４と前記移動体２００に内在された磁性体２１０との間に磁場による引力が発生して、第１のロック部胴体１３１はガイド１１２に沿って下方に向かって移動する。
【００６５】
前記第１のロック部胴体１３１が下方に向かって移動すると、回転軸１３３を介して連結された第１のロック部ラッチ１３２が動作して、加圧部１４０と締結されたロック状態が解除される。
【００６６】
前記加圧部１４０のロック状態が解除されると、加圧部１４０が加圧部ばね１４４の弾性力によって加圧部回転軸１４３を中心として回転して地面３００を打撃し、前記加圧部１４０の打撃によって、ポップアップ玩具１００は、前記加圧部１４０の回転方向とは反対の方向に転倒する。
【００６７】
前記ポップアップ玩具１００が転倒すれば、接触部１５１ａと連結された第２のロック部胴体１５１が押され、前記第２のロック部胴体１５１の移動につれて連結された第２のロック部ラッチ１５３が動作して、ポップアップ部１６０と締結されたロック状態が解除される。
【００６８】
前記ポップアップ部１６０のロック状態が解除されると、ポップアップ部１６０がポップアップ部ばね１６３の弾性力によってポップアップ部回転軸１６２を中心として回転して地面３００を打撃し、前記ポップアップ部１６０の打撃によってポップアップ玩具１００は上方に向かって起立しながらポップアップされる。
【００６９】
また、前記ポップアップ玩具１００が転倒すれば、接触部１５１ａと連結された第２のロック部胴体１５１が押され、前記第２のロック部胴体１５１と連結された第２のロック部補助ラッチ１５５が動作して、頭部１８０と締結されたロック状態が解除される。
【００７０】
前記頭部１８０のロック状態が解除されると、頭部１８０が頭部ばね１８３の弾性力によって頭部回転軸１８２を中心として回転して、第１の胴体部１１０の内部から外部にポップアップされて第２の形状に変形する。
【００７１】
本実施形態においては、第１のロック部１３０によってロック解除されると、一方の側に転倒するように展開され、第２のロック部１５０によってロック解除されると、上方に向かってポップアップされるように展開する構成について説明したが、本発明はこれに限定されるものではなく、第１のロック部１３０がロック解除されると、第２の形状に展開されるように構成してもよい。
【００７２】
さらに、前記第２のロック部１５０が地面３００と接触してロック解除されると、胴体の一部のうちの少なくとも１つ以上が回動して内在された第２の形状がポップアップされるように構成されてもよく、胴体の一部のうちの少なくとも１つ以上が回動する回転力によって、胴体部に内在された任意の胴体の一部が前記胴体部の外部に投擲されるようにするか、または、内在されたばねなどの弾性力によって発射されるようにしてもよい。
【００７３】
また、前記移動体２００は、第１のロック部１３０に付着した状態でポップアップされて、第２の形状に変形したポップアップ玩具の一方の側に前記移動体２００の底面が露出されるようにすることで、前記移動体２００に印刷された任意のキャラクタ、数字、文字、図形、絵柄などの情報が視認可能になる。
【００７４】
（第２の実施形態）
図７は、本発明に係るポップアップ玩具の他の実施形態を示す断面図であり、図８は、図７に示すポップアップ玩具の動作過程を説明するために示す断面図である。
【００７５】
図７及び図８に示すように、本発明に係るポップアップ玩具１００’は、複数のロック手段が配設されて外部の形状が任意の第１の形状を維持し、前記ロック手段が外部から移動された移動体２００と接触してロック状態が解除されると、外部の形状が前記第１の形状から予め設定された第２の形状に変形するように、第１の胴体部１１０と、第２の胴体部１２０と、第１のロック部１３０’と、加圧部１４０と、第２のロック部１５０と、ポップアップ部１６０と、頭部１８０と、移動体２００と、を備える。
【００７６】
第２の実施形態に係るポップアップ玩具１００’は、第１のロック部１３０’の構成が、第１の実施形態に係るポップアップ玩具１００における第１のロック部１３０の構成と相違し、第１の実施形態と同じ構成要素についての重複する説明は省略し、同じ構成要素に対しては同じ図面符号を付する。
【００７７】
前記第１のロック部１３０’は、加圧部１４０のロック状態を維持する構成要素であって、移動体２００との物理的な接触により前記加圧部１４０とのロック状態が解除されるように、第１のロック部胴体１３１’と、第１のロック部ラッチ１３２’と、回転軸１３３’と、磁石部１３４’と、第１のロック部ばね１３５’と、を備える。
【００７８】
前記第１のロック部胴体１３１’は、一方の端部が第１の胴体部１１０の下部に形成された底面貫通孔１１３’を貫通するように突出して形成されている。前記突出した一方の端部の末端には傾斜面が形成され、移動体２００と物理的に接触する場合、前記第１のロック部胴体１３１’が上方に向かって移動可能なようにする。
【００７９】
前記第１のロック部ラッチ１３２’は、一方の側が第１のロック部胴体１３１’の末端に回転軸１３３’を介して結合され、係止突起が形成されている他方の側は第１の胴体部１１０の背面貫通孔１１３を貫通して加圧部１４０と締結される。前記第１のロック部胴体１３１’の上下方向への移動につれて、前記第１のロック部ラッチ１３２’が、前記加圧部１４０と締結されたロック状態、または前記加圧部１４０から分離されたロック解除状態になるように動作する。
【００８０】
前記磁石部１３４’は、第１の胴体部１１０の下端に配設されて移動体２００に内在された磁性体２１０と磁場を形成することにより、前記第１の胴体部１１０の底面に付着して、前記移動体２００がポップアップ玩具１００’に付着された状態を維持するようにする。
【００８１】
前記第１のロック部ばね１３５’は、第１のロック部胴体１３１’の他方の側の末端に配設されて、前記第１のロック部胴体１３１’が所定の位置を維持するように弾性力を提供し、前記第１のロック部胴体１３１’が移動体２００との物理的な接触によって移動した後、前記移動体２００と接触しなくなると、前記第１のロック部胴体１３１’が元の位置に戻るように弾性力を提供する。
【００８２】
したがって、所定の位置に据え置かれたポップアップ玩具が、任意の位置から移動された移動体が接触すれば、第１の形状から第２の形状に変形することにより、遊びへの興味を向上させることができる。
【００８３】
以上、本発明の好適な実施形態を挙げて本発明について説明したが、当該技術分野における熟練された当業者であれば、下記の特許請求の範囲に記載の本発明の思想及び領域から逸脱しない範囲内において本発明を種々に修正及び変更することができるということが理解できる筈である。
【００８４】
また、本発明の実施形態について説明する過程において、図示の線の太さや構成要素の大きさなどは説明の明瞭性及び便宜性のために誇張されて示されていてもよく、上述した用語は、本発明における機能を考慮して定義された用語であって、これらは、使用者や運用者の意図または慣例によって異なるため、これらの用語に関する解釈は、本明細書の全般に亘っての内容に基づいて行われるべきである。
【符号の説明】
【００８５】
１００  ポップアップ玩具
１１０  第１の胴体部
１１１  収納空間
１１２  ガイド部
１１３  背面貫通孔
１１４  第１の結合部
１１５  第２の結合部
１１６  第３の結合部
１２０  第２の胴体部
１２１  貫通孔
１３０  第１のロック部
１３１  第１のロック部胴体
１３１ａ突起部
１３２  第１のロック部ラッチ
１３３  回転軸
１３４  磁石部
１３５  第１のロック部ばね
１４０  加圧部
１４１  加圧部結合孔
１４２  係止溝
１４３  加圧部回転軸
１４４  加圧部ばね
１５０  第２のロック部
１５１  第２のロック部胴体
１５１ａ接触部
１５２  リンク部
１５３  第２のロック部ラッチ
１５４  第２のロック部ばね
１５５  第２のロック部補助ラッチ
１６０  ポップアップ部
１６１  ポップアップ部結合溝
１６２  ポップアップ部回転軸
１６３  ポップアップ部ばね
１６４  係止溝
１８０  頭部
１８１  頭結合部
１８２  頭部回転軸
１８３  頭部ばね
２００  移動体
２１０  磁性体
【図１】
0006737809.tif 000002
【図２】
0006737809.tif 000003
【図３】
0006737809.tif 000004
【図４】
0006737809.tif 000005
【図５】
0006737809.tif 000006
【図６】
0006737809.tif 000007
【図７】
0006737809.tif 000008
【図８】
0006737809.tif 000009